(57)【要約】【課題】全セル初期化動作時の最大電圧を上げることなく初期化輝点の発生を低減する。【解決手段】プラズマディスプレイパネルの駆動において、放電セルで初期化放電を発生させる初期化期間と、放電セルで選択的に書込み放電を発生させる書込み期間と、書込み期間において選択した放電セルで維持放電を発生させる維持期間とを有するサブフィールドを１フィールド期間に複数設け、初期化期間において緩やかに上昇する傾斜波形電圧を走査電極に印加するサブフィールドを１フィールド期間に少なくとも１つ含むように構成し、プラズマディスプレイパネルの温度が低温かそうでないかを判定して、低温と判定したときには、緩やかに上昇する傾斜波形電圧が走査電極に印加される期間、正の電圧Ｖｄをデータ電極に印加する。【選択図】図４
2008122735.tif 000002
【特許請求の範囲】
【請求項１】
走査電極と維持電極とからなる表示電極対とデータ電極とを有する放電セルを複数備えたプラズマディスプレイパネルと、
１フィールド期間に、前記放電セルで初期化放電を発生させる初期化期間と、前記放電セルで選択的に書込み放電を発生させる書込み期間と、前記書込み期間において選択した放電セルで維持放電を発生させる維持期間とを有するサブフィールドを複数設け、１フィールド期間の少なくとも１つのサブフィールドの初期化期間において緩やかに上昇する傾斜波形電圧を前記走査電極に印加するように構成した走査電極駆動回路と、前記データ電極を駆動するデータ電極駆動回路と、温度センサを有し前記プラズマディスプレイパネルの温度状態を判定するパネル温度判定回路とを備えたプラズマディスプレイ装置であって、
前記データ電極駆動回路は、前記パネル温度判定回路からの信号に応じて前記傾斜波形電圧が前記走査電極に印加される期間には正の電圧を前記データ電極に印加することを特徴とするプラズマディスプレイ装置。
【請求項２】
前記パネル温度判定回路は、前記温度センサが検出した温度とあらかじめ定めた閾値との比較により前記プラズマディスプレイパネルの温度状態を判定するように構成するとともに、その判定にヒステリシス特性を持たせた構成としたことを特徴とする請求項１に記載のプラズマディスプレイ装置。
【請求項３】
走査電極と維持電極とからなる表示電極対とデータ電極とを有する放電セルを複数備えたプラズマディスプレイパネルの駆動方法であって、
前記放電セルで初期化放電を発生させる初期化期間と、前記放電セルで書込み放電を発生させる書込み期間と、前記書込み期間において選択した放電セルで維持放電を発生させる維持期間とを有するサブフィールドを１フィールド期間に複数設けるとともに、前記初期化期間において緩やかに上昇する傾斜波形電圧を前記走査電極に印加するサブフィールドを１フィールド期間に少なくとも１つ含むように構成し、前記プラズマディスプレイパネルの温度が低温かそうでないかを判定し、低温と判定したときには、前記傾斜波形電圧が前記走査電極に印加される期間、正の電圧を前記データ電極に印加して駆動することを特徴とするプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００４】
各サブフィールドは、初期化期間、書込み期間および維持期間を有し、初期化期間では初期化放電を発生し、続く書込み動作に必要な壁電荷を各電極上に形成する。
【０００５】
書込み期間では、表示を行うべき放電セルに選択的に書込みパルス電圧を印加して書込み放電を発生させ壁電荷を形成する（以下、この動作を「書込み」とも記す）。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００６】
また、サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた新規な駆動方法が開示されている。
【０００７】
具体的には、複数のサブフィールドのうち、１つのサブフィールドの初期化期間においては全ての放電セルで初期化放電を発生させる初期化動作（以下、「全セル初期化動作」と略記する）を行い、他のサブフィールドの初期化期間においては維持放電を行った放電セルでのみ初期化放電を発生させる初期化動作（以下、「選択初期化動作」と略記する）を行う。
【０００８】
このように駆動することによって、画像の表示に関係のない発光は全セル初期化動作の放電に伴う発光のみとなり、黒表示領域の輝度（以下、「黒輝度」と略記する）は全セル初期化動作における微弱発光だけとなって、コントラストの高い画像表示が可能となる（例えば、特許文献１参照）。
【特許文献１】特開２０００−２４２２２４号公報
【発明の開示】
【発明が解決しようとする課題】
【０００９】
近年においては、パネルの高精細化、大画面化が進められており、それに伴い、表示画像の更なる高画質化が望まれている。
【００１０】
高コントラスト化は高画質化を実現するための有効な手段の１つであり、例えば、全セル初期化動作時の最大電圧を下げて初期化放電時の発光輝度を低減させ、コントラストをさらに向上させるといった試みがなされている。
【００１１】
しかしながら、全セル初期化動作時の最大電圧を下げると、初期化動作時に発生させるプライミングが減少して次の初期化動作時の強放電を誘発してしまい、そのため書込みがなされていないにもかかわらず維持放電が生じて発光してしまう放電セル（以下、「初期化輝点」と呼称する）を生じさせる恐れがある。そして、この現象は、パネルの温度に依存して発生頻度が変化し、パネルの温度が低温のときに顕著となる。
【００１２】
一方、この現象は、全セル初期化動作時の最大電圧を大きくすれば改善することができるため、プラズマディスプレイ装置を設計する際には、まず温度に関する動作保証範囲を定め、その動作保証範囲内において想定されるパネルの最低温度において安定した初期化動作がなされるように全セル初期化動作時の最大電圧を設定していた。そのため、全セル初期化動作時の最大電圧を十分に下げることができなかった。
【００１３】
本発明はこのような課題に鑑みなされたものであり、全セル初期化動作時の最大電圧を上げることなく初期化輝点の発生を低減することを可能とし、コントラストの高い画像表示を実現して、画像表示品質のよいプラズマディスプレイ装置およびパネルの駆動方法を提供することを目的とする。
【課題を解決するための手段】
【００１４】
このような課題を解決するために、本発明は、走査電極と維持電極とからなる表示電極対とデータ電極とを有する放電セルを複数備えたパネルと、１フィールド期間に、放電セルで初期化放電を発生させる初期化期間と、放電セルで選択的に書込み放電を発生させる書込み期間と、書込み期間において選択した放電セルで維持放電を発生させる維持期間とを有するサブフィールドを複数設け、１フィールド期間の少なくとも１つのサブフィールドの初期化期間において緩やかに上昇する傾斜波形電圧を走査電極に印加するように構成した走査電極駆動回路と、データ電極を駆動するデータ電極駆動回路と、温度センサを有しパネルの温度状態を判定するパネル温度判定回路とを備えたプラズマディスプレイ装置であって、データ電極駆動回路は、パネル温度判定回路からの信号に応じて上述の傾斜波形電圧が走査電極に印加される期間に正の電圧をデータ電極に印加するように構成したことを特徴とする。
【００１５】
これにより、全セル初期化動作時の最大電圧を上げることなく初期化輝点の発生を低減することが可能となるので、コントラストを高めて、画像表示品質をよくしたプラズマディスプレイ装置を提供することが可能となる。
【００１６】
また、パネル温度判定回路は、温度センサが検出した温度とあらかじめ定めた閾値との比較によりパネルの温度状態を判定するように構成するとともに、その判定にヒステリシス特性を持たせた構成としてもよい。これにより、パネル温度判定回路における温度状態の判定の頻繁な切換わりを防止できるので、さらに画像表示品質を高めることが可能となる。
【００１７】
また、本発明のパネルの駆動方法は、走査電極と維持電極とからなる表示電極対とデータ電極とを有する放電セルを複数備えたパネルの駆動方法であって、放電セルで初期化放電を発生させる初期化期間と、放電セルで書込み放電を発生させる書込み期間と、書込み期間において選択した放電セルで維持放電を発生させる維持期間とを有するサブフィールドを１フィールド期間に複数設けるとともに、初期化期間において緩やかに上昇する傾斜波形電圧を走査電極に印加するサブフィールドを１フィールド期間に少なくとも１つ含むように構成し、パネルの温度が低温かそうでないかを判定し、低温と判定したときには、上述の傾斜波形電圧が走査電極に印加される期間、正の電圧をデータ電極に印加して駆動することを特徴とする。
【００１８】
これにより、全セル初期化動作時の最大電圧を上げることなく初期化輝点の発生を低減することが可能となるので、プラズマディスプレイ装置における表示画像のコントラストを高めて、画像表示品質をよくすることが可能となる。
【発明の効果】
【００１９】
本発明によれば、全セル初期化動作時の最大電圧を上げることなく初期化輝点の発生を低減することが可能となるので、表示画像のコントラストを高めて、画像表示品質のよいプラズマディスプレイ装置およびパネルの駆動方法を提供することが可能となる。
【発明を実施するための最良の形態】
【００２０】
以下、本発明の実施の形態におけるプラズマディスプレイ装置について、図面を用いて説明する。
【００２１】
（実施の形態）
図１は、本発明の実施の形態におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２２】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２３】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２４】
これら前面板２１と背面板３１とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２５】
なお、パネルの構造は上述したものに限られるわけではなく、例えばストライプ状の隔壁を備えたものであってもよい。
【００２６】
図２は、本発明の実施の形態におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。なお、図１、図２に示したように、走査電極ＳＣｉと維持電極ＳＵｉとは互いに平行に対をなして形成されているため、走査電極ＳＣ１〜ＳＣｎと維持電極ＳＵ１〜ＳＵｎとの間に大きな電極間容量Ｃｐが存在する。
【００２７】
次に、パネル１０を駆動するための駆動電圧波形とその動作について説明する。本実施の形態におけるプラズマディスプレイ装置は、サブフィールド法、すなわち１フィールド期間を複数のサブフィールドに分割し、サブフィールド毎に各放電セルの発光・非発光を制御することによって階調表示を行う。そして、それぞれのサブフィールドは、初期化期間、書込み期間および維持期間を有する。
【００２８】
また、本実施の形態では、１フィールドを１０のサブフィールド（第１ＳＦ、第２ＳＦ、・・・、第１０ＳＦ）で構成し、各サブフィールドはそれぞれ、例えば（１、２、３、６、１１、１８、３０、４４、６０、８０）の輝度重みを持つものとする。そして、第１ＳＦの初期化期間では全セル初期化動作を行い、第２ＳＦ〜第１０ＳＦの初期化期間では選択初期化動作を行うものとする。そして、各サブフィールドの維持期間においては、それぞれのサブフィールドの輝度重みに所定の輝度倍率を乗じた数の維持パルスが表示電極対のそれぞれに印加される。
【００２９】
なお、本実施の形態は、サブフィールド数や各サブフィールドの輝度重みが上記の値に限定されるものではなく、また、画像信号等にもとづいてサブフィールド構成を切換える構成であってもよい。
【００３０】
各サブフィールドにおいて、初期化期間では初期化放電を発生し、続く書込み放電に必要な壁電荷を各電極上に形成する。加えて、放電遅れを小さくし書込み放電を安定して発生させるためのプライミング（放電のための起爆剤＝励起粒子）を発生させるという働きを持つ。このときの初期化動作には、全ての放電セルで初期化放電を発生させる全セル初期化動作と、１つ前のサブフィールドで維持放電を行った放電セルで初期化放電を発生させる選択初期化動作とがある。
【００３１】
書込み期間では、後に続く維持期間において発光させるべき放電セルで選択的に書込み放電を発生し壁電荷を形成する。そして維持期間では、輝度重みに比例した数の維持パルスを表示電極対２４に交互に印加して、書込み放電を発生した放電セルで維持放電を発生させて発光させる。このときの比例定数を輝度倍率と呼ぶ。
【００３２】
なお、本実施の形態では、後述するパネル温度判定回路において判定されるパネル１０の温度状態に応じて全セル初期化動作時の駆動電圧波形を変更している。具体的には、パネル１０が低温のときに、全セル初期化動作時においてデータ電極Ｄ１〜Ｄｍに正の電圧を印加する。これにより全セル初期化動作時の最高電圧を上げることなく初期化輝点の発生を低減することを実現している。以下、パネル温度判定回路においてパネル１０の温度は低温ではないと判定されたときの駆動電圧波形についてまず説明し、続いて、低温と判定されたときの駆動電圧波形について説明する。
【００３３】
図３は、本発明の実施の形態におけるパネル１０の温度が低温ではないと判定されたときのパネル１０の各電極に印加する駆動電圧波形図である。図３には、２つのサブフィールドの駆動電圧波形、すなわち全セル初期化動作を行うサブフィールド（以下、「全セル初期化サブフィールド」と呼称する）と、選択初期化動作を行うサブフィールド（以下、「選択初期化サブフィールド」と呼称する）とを示しているが、他のサブフィールドにおける駆動電圧波形もほぼ同様である。
【００３４】
まず、全セル初期化サブフィールドである第１ＳＦについて説明する。
【００３５】
第１ＳＦの初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧（以下、「上りランプ波形電圧」と呼称する）を印加する（以下、走査電極ＳＣ１〜ＳＣｎに印加する上りランプ波形電圧の最大値を「初期化電圧Ｖｉ２」として引用する。また、初期化電圧Ｖｉ２と電圧Ｖｉ１との差を、「Ｖｓｅｔ」と記す）。
【００３６】
この上りランプ波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が持続して起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００３７】
初期化期間後半部では、維持電極ＳＵ１〜ＳＵｎに正の電圧Ｖｅ１を印加し、データ電極Ｄ１〜Ｄｍに０（Ｖ）を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧（以下、「下りランプ波形電圧」と呼称する）を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が持続して起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により、全ての放電セルに対して初期化放電を行う全セル初期化動作が終了する。
【００３８】
続く書込み期間では、維持電極ＳＵ１〜ＳＵｎに電圧Ｖｅ２を、走査電極ＳＣ１〜ＳＣｎに電圧Ｖｃを印加する。
【００３９】
まず、１行目の走査電極ＳＣ１に負の走査パルス電圧Ｖａを印加するとともに、データ電極Ｄ１〜Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４０】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００４１】
続く維持期間では、まず走査電極ＳＣ１〜ＳＣｎに正の維持パルス電圧Ｖｓを印加するとともに維持電極ＳＵ１〜ＳＵｎに０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００４２】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４３】
続いて、走査電極ＳＣ１〜ＳＣｎには０（Ｖ）を、維持電極ＳＵ１〜ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対２４の電極間に電位差を与えることにより、書込み期間において書込み放電を起こした放電セルで維持放電が継続して行われる。
【００４４】
そして、維持期間の最後には走査電極ＳＣ１〜ＳＣｎと維持電極ＳＵ１〜ＳＵｎとの間にいわゆる細幅パルス状の電圧差を与えて、データ電極Ｄｋ上の正の壁電圧を残したまま、走査電極ＳＣｉ上および維持電極ＳＵｉ上の壁電圧を調整している。具体的には、維持電極ＳＵ１〜ＳＵｎを一旦０（Ｖ）に戻した後、走査電極ＳＣ１〜ＳＣｎに維持パルス電圧Ｖｓを印加する。すると、維持放電を起こした放電セルの維持電極ＳＵｉと走査電極ＳＣｉとの間で維持放電が起こる。そしてこの放電が収束する前、すなわち放電で発生した荷電粒子が放電空間内に十分残留している間に維持電極ＳＵ１〜ＳＵｎに電圧Ｖｅ１を印加する。これにより維持電極ＳＵｉと走査電極ＳＣｉとの間の電圧差が（Ｖｓ−Ｖｅ１）の程度まで弱まる。すると、データ電極Ｄｋ上の正の壁電荷を残したまま、走査電極ＳＣ１〜ＳＣｎ上と維持電極ＳＵ１〜ＳＵｎ上との間の壁電圧はそれぞれの電極に印加した電圧の差（Ｖｓ−Ｖｅ１）の程度まで弱められる。以下、この放電を「消去放電」と呼ぶ。
【００４５】
このように、最後の維持放電、すなわち消去放電を発生させるための電圧Ｖｓを走査電極ＳＣ１〜ＳＣｎに印加してから、所定の時間間隔の後、表示電極対２４の電極間の電位差を緩和するための電圧Ｖｅ１を維持電極ＳＵ１〜ＳＵｎに印加する。こうして維持期間における維持動作が終了する。
【００４６】
次に、選択初期化サブフィールドである第２ＳＦの動作について説明する。
【００４７】
第２ＳＦの選択初期化期間では、維持電極ＳＵ１〜ＳＵｎに電圧Ｖｅ１を、データ電極Ｄ１〜Ｄｍに０（Ｖ）をそれぞれ印加したまま、走査電極ＳＣ１〜ＳＣｎに電圧Ｖｉ３’から電圧Ｖｉ４に向かって緩やかに下降する下りランプ波形電圧を印加する。
【００４８】
すると前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。
【００４９】
一方、前のサブフィールドで維持放電を起こさなかった放電セルについては放電することはなく、前のサブフィールドの初期化期間終了時における壁電荷がそのまま保たれる。このように選択初期化動作は、直前のサブフィールドの維持期間で維持動作を行った放電セルに対して選択的に初期化放電を行う初期化動作である。
【００５０】
続く書込み期間の動作は全セル初期化サブフィールドの書込み期間の動作と同様であるため説明を省略する。続く維持期間の動作も維持パルスの数を除いて同様である。
【００５１】
図４は、本発明の実施の形態におけるパネル１０の温度が低温と判定されたときのパネル１０の各電極に印加する駆動電圧波形図である。なお、図４に示す駆動電圧波形は、図３に示した駆動電圧波形と全セル初期化サブフィールドの初期化期間前半部におけるデータ電極Ｄ１〜Ｄｍへの駆動電圧の波形形状が異なるだけであり、それ以外の駆動電圧波形は同様であるため、ここでは、全セル初期化サブフィールドの初期化期間前半部における駆動電圧波形について説明する。
【００５２】
第１ＳＦの初期化期間前半部では、維持電極ＳＵ１〜ＳＵｎに０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する上りランプ波形電圧を印加する。このとき、パネル温度判定回路においてパネル１０の温度が低温と判定されたときには、図４に示すとおり、走査電極ＳＣ１〜ＳＣｎに上りランプ波形電圧を印加する期間、データ電極Ｄ１〜Ｄｍに正の電圧Ｖｄを印加する。
【００５３】
本実施の形態では、このように、パネル１０の温度が低温のときに全セル初期化期間前半部においてデータ電極Ｄ１〜Ｄｍに正の電圧Ｖｄを印加することで、Ｖｓｅｔを大きくすることなく初期化輝点の発生を低減している。これは、次のような理由による。
【００５４】
初期化輝点の発生はパネルの温度に依存しており、パネルの温度が低温になるほど初期化輝点は発生しやすくなる。一方、初期化放電の継続時間と初期化輝点の発生とは関連しており、初期化放電の継続時間を長くすれば初期化輝点の発生を低減できる。そして、初期化放電が不安定にならないように上りランプ波形電圧の傾きを一定にしたまま初期化放電の継続時間を長くするためには、Ｖｓｅｔを大きくしなければならない。すなわち、初期化輝点を発生させないために必要なＶｓｅｔはパネルの温度に応じて変化し、パネルの温度が低いほど、より大きいＶｓｅｔが必要になる。
【００５５】
図５は、初期化輝点を発生させないために必要なＶｓｅｔとパネルの温度との関係を示した図である。図５において、縦軸は初期化輝点を発生させないために必要なＶｓｅｔを表し、横軸はパネルの温度を表す。なお、上りランプ波形電圧の傾きは一定とし、Ｖｓｅｔを大きくすると、その分初期化放電の継続時間が長くなるものとする。
【００５６】
データ電極Ｄ１〜Ｄｍに正の電圧Ｖｄを印加しない駆動（図面中、破線で示す）では、初期化輝点を発生させないために必要なＶｓｅｔは、図５の破線に示すように、パネルの温度が４０℃〜７０℃のときに約１９０〜１９３（Ｖ）程度である。しかし、パネルの温度が４０℃以下になると、パネルの温度が低くなるにつれて必要なＶｓｅｔも徐々に大きくなっていき、パネルの温度が３０℃では、必要なＶｓｅｔは約２００（Ｖ）に、パネルの温度が０℃では、必要なＶｓｅｔは約２３０（Ｖ）になる。そのため、データ電極Ｄ１〜Ｄｍに正の電圧Ｖｄを印加しない駆動においては、Ｖｓｅｔが２３０Ｖより低く設定されたときはパネルの温度が３０℃以下のときに初期化輝点が発生する恐れがある。
【００５７】
一方、データ電極Ｄ１〜Ｄｍに正の電圧Ｖｄを印加する駆動（図面中、実線で示す）では、図５の実線に示すように、初期化輝点を発生させないために必要なＶｓｅｔは、破線で示した正の電圧Ｖｄを印加しない場合と比較して約４０（Ｖ）低いことがわかる。
【００５８】
このため、データ電極Ｄ１〜Ｄｍに正の電圧Ｖｄを印加する駆動においては、Ｖｓｅｔを２００（Ｖ）に設定した場合、パネルの温度が０℃であっても初期化輝点が発生する恐れは少ない。
【００５９】
なお、Ｖｓｅｔを２００（Ｖ）に設定した場合、パネルの温度が４０℃以上であれば、図５の破線に示すとおり、データ電極Ｄ１〜Ｄｍに正の電圧Ｖｄを印加しない駆動においても、初期化輝点の発生する恐れは少ない。また、通常は、パネルの温度はパネルの駆動を開始した直後が最も低く、パネルの駆動開始からの経過時間に応じて徐々に上昇していくため、パネルの駆動開始直後に初期化輝点が発生しやすい状態にあっても、プラズマディスプレイ装置を継続して動作させていくうちに、徐々にパネルの温度が上昇して、初期化輝点が発生しにくい状態となることも少なくない。
【００６０】
これらのことから、本実施の形態では、上述したように、全セル初期化期間における走査電極ＳＣ１〜ＳＣｎへの上りランプ波形電圧印加期間において、データ電極Ｄ１〜Ｄｍに、正の電圧Ｖｄを印加する駆動と印加しない駆動とを、パネルの温度状態に応じて切換える構成としている。そして、パネル温度判定回路においてパネルの温度を低温と判定したときには、正の電圧Ｖｄを印加する駆動を行い、低温ではないと判定したときには正の電圧Ｖｄを印加しない駆動を行う。これにより、Ｖｓｅｔを大きくすることなく初期化輝点の発生を低減することが可能な駆動を実現できる。また、Ｖｓｅｔと黒輝度とは関連しており、Ｖｓｅｔを大きくすると不要な発光が増えて黒輝度が上昇しコントラストが悪化するが、本実施の形態ではＶｓｅｔを大きくせずにすむため、高コントラスト化が可能である。また、パネルの温度が低温ではない場合に正の電圧Ｖｄを印加しない構成とすることで、パネルの温度にかかわらず正の電圧Ｖｄを印加し続ける場合よりも消費電力を低減できる。
【００６１】
なお、本実施の形態では、後述するパネル温度判定回路においてパネルの温度状態の判定にヒステリシス特性を持たせており、パネルの駆動を開始した直後およびパネルの温度が下降しているときにはパネルの温度が４０℃未満のときを低温と判定させ、パネルの温度が上昇しているときにはパネルの温度が４２℃以上になったときに低温ではないと判定させる構成としている。これにより、Ｖｓｅｔを２００（Ｖ）に設定することを可能にするとともに、パネルの温度が４０℃付近にあるときのパネル温度判定回路における判定の頻繁な切換わりを防止している。
【００６２】
また、本実施の形態では、正の電圧Ｖｄを約７５（Ｖ）に設定しているが、パネル温度判定回路における閾値やＶｓｅｔ等を含む上述した各数値は、表示電極対数１０８０、５０インチのパネルの特性にもとづき設定した一例に過ぎず、本実施の形態は何らこれらの数値に限定されるものではない。各設定値はパネルの特性やプラズマディスプレイ装置の仕様等に合わせて最適な値にすることが望ましい。
【００６３】
次に、本実施の形態におけるプラズマディスプレイ装置の構成について説明する。図６は、本発明の一実施の形態におけるプラズマディスプレイ装置の回路ブロック図である。プラズマディスプレイ装置１は、パネル１０、画像信号処理回路４１、データ電極駆動回路４２、走査電極駆動回路４３、維持電極駆動回路４４、タイミング発生回路４５、パネル温度判定回路４６および各回路ブロックに必要な電源を供給する電源回路（図示せず）を備えている。
【００６４】
画像信号処理回路４１は、入力された画像信号ｓｉｇをサブフィールド毎の発光・非発光を示す画像データに変換する。データ電極駆動回路４２はサブフィールド毎の画像データを各データ電極Ｄ１〜Ｄｍに対応する信号に変換し各データ電極Ｄ１〜Ｄｍを駆動する。
【００６５】
パネル温度判定回路４６は、温度を検出するために用いられる熱電対等の一般に知られた素子からなる温度センサ４７を有する。そして、温度センサ４７で検出されたパネル１０周辺の温度からパネル１０の温度の推定値を演算により算出し、その算出値とあらかじめ定めた閾値とを比較してパネル１０の温度状態を判定して、その結果をタイミング発生回路４５に出力する。なお、上述したように、本実施の形態では、この判定にヒステリシス特性を持たせており、パネル１０の温度が上昇しているかそうでないかで、異なる閾値を用いる構成としている。
【００６６】
タイミング発生回路４５は水平同期信号Ｈ、垂直同期信号Ｖおよびパネル温度判定回路４６で判定されたパネル１０の温度状態をもとにして各回路ブロックの動作を制御する各種のタイミング信号を発生し、それぞれの回路ブロックへ供給する。そして、上述したように、本実施の形態においては、パネル温度判定回路４６においてパネル１０の温度が低温と判定されたときには、全セル初期化期間において走査電極ＳＣ１〜ＳＣｎに上りランプ波形電圧を印加する期間、正の電圧Ｖｄをデータ電極Ｄ１〜Ｄｍに印加するように制御しており、それに応じたタイミング信号をデータ電極駆動回路４２に出力する。
【００６７】
走査電極駆動回路４３は、初期化期間において走査電極ＳＣ１〜ＳＣｎに印加する初期化波形を発生するための初期化波形発生回路を有し、タイミング信号にもとづいて各走査電極ＳＣ１〜ＳＣｎをそれぞれ駆動する。維持電極駆動回路４４は、タイミング信号にもとづいて維持電極ＳＵ１〜ＳＵｎを駆動する。
【００６８】
次に、走査電極駆動回路４３の構成とその動作について説明する。図７は、本発明の一実施の形態における走査電極駆動回路４３の回路図である。走査電極駆動回路４３は、維持パルスを発生させる維持パルス発生回路５０、初期化波形を発生させる初期化波形発生回路５３、走査パルスを発生させる走査パルス発生回路５４を備えている。
【００６９】
維持パルス発生回路５０は、電力回収回路５１とクランプ回路５２とを備えている。電力回収回路５１は、電力回収用のコンデンサＣ１、スイッチング素子Ｑ１、Ｑ２、逆流防止用のダイオードＤ１、Ｄ２、共振用のインダクタＬ１を有している。なお、電力回収用のコンデンサＣ１は電極間容量Ｃｐに比べて十分に大きい容量を持ち、電力回収回路５１の電源として働くように、電圧値Ｖｓの半分の約Ｖｓ／２に充電されている。クランプ回路５２は、走査電極ＳＣ１〜ＳＣｎを電圧Ｖｓにクランプするためのスイッチング素子Ｑ３、走査電極ＳＣ１〜ＳＣｎを０（Ｖ）にクランプするためのスイッチング素子Ｑ４を有している。そして、タイミング発生回路４５から出力されるタイミング信号にもとづき維持パルス電圧Ｖｓを発生させる。
【００７０】
例えば、維持パルス波形を立ち上げる際には、スイッチング素子Ｑ１をオンにして電極間容量ＣｐとインダクタＬ１とを共振させ、電力回収用のコンデンサＣ１からスイッチング素子Ｑ１、ダイオードＤ１、インダクタＬ１を通して走査電極ＳＣ１〜ＳＣｎに電力を供給する。そして、走査電極ＳＣ１〜ＳＣｎの電圧がＶｓに近づいた時点で、スイッチング素子Ｑ３をオンにして、走査電極ＳＣ１〜ＳＣｎを電圧Ｖｓにクランプする。
【００７１】
逆に、維持パルス波形を立ち下げる際には、スイッチング素子Ｑ２をオンにして電極間容量ＣｐとインダクタＬ１とを共振させ、電極間容量ＣｐからインダクタＬ１、ダイオードＤ２、スイッチング素子Ｑ２を通して電力回収用のコンデンサＣ１に電力を回収する。そして、走査電極ＳＣ１〜ＳＣｎの電圧が０（Ｖ）に近づいた時点で、スイッチング素子Ｑ４をオンにして、走査電極ＳＣ１〜ＳＣｎを０（Ｖ）にクランプする。
【００７２】
初期化波形発生回路５３は、スイッチング素子Ｑ１１とコンデンサＣ１０と抵抗Ｒ１０とを有し所定の初期化電圧Ｖｉ２までランプ状に緩やかに上昇する上りランプ波形電圧を発生するミラー積分回路、スイッチング素子Ｑ１４とコンデンサＣ１２と抵抗Ｒ１１とを有し電圧Ｖｉ４までランプ状に緩やかに下降する下りランプ波形電圧を発生するミラー積分回路、スイッチング素子Ｑ１２を用いた分離回路およびスイッチング素子Ｑ１３を用いた分離回路を備えている。そして、タイミング発生回路４５から出力されるタイミング信号にもとづき上述した初期化波形を発生させる。なお、図７には、ミラー積分回路のそれぞれの入力端子を入力端子ＩＮａ、入力端子ＩＮｂとして示している。
【００７３】
走査パルス発生回路５４は、走査電極ＳＣ１〜ＳＣｎのそれぞれに走査パルス電圧を出力するスイッチ回路ＯＵＴ１〜ＯＵＴｎと、スイッチ回路ＯＵＴ１〜ＯＵＴｎの低電圧側を電圧Ｖａにクランプするためのスイッチング素子Ｑ２１と、電圧Ｖａに電圧Ｖｓｃｎを重畳した電圧Ｖｃをスイッチ回路ＯＵＴ１〜ＯＵＴｎの高電圧側に印加するためのダイオードＤ２１およびコンデンサＣ２１とを備えている。そしてスイッチ回路ＯＵＴ１〜ＯＵＴｎのそれぞれは、電圧Ｖｃを出力するためのスイッチング素子ＱＨ１〜ＱＨｎと電圧Ｖａを出力するためのスイッチング素子ＱＬ１〜ＱＬｎとを備えている。そして、タイミング発生回路４５から出力されるタイミング信号にもとづき、書込み期間において走査電極ＳＣ１〜ＳＣｎに印加する走査パルス電圧Ｖａを順次発生させる。
【００７４】
なお、本実施の形態では、初期化波形発生回路５３に、実用的であり比較的構成が簡単なＦＥＴを用いたミラー積分回路を採用しているが、何らこの構成に限定されるものではなく、上りランプ波形電圧および下りランプ波形電圧を発生することができる回路であればどのような回路であってもよい。
【００７５】
なお、図示はしていないが、維持電極駆動回路４４の維持パルス発生回路は維持パルス発生回路５０と同様の構成であり、維持電極ＳＵ１〜ＳＵｎを駆動するときの電力を回収して再利用するための電力回収回路と、維持電極ＳＵ１〜ＳＵｎを電圧Ｖｓにクランプするためのスイッチング素子と、維持電極ＳＵ１〜ＳＵｎを０（Ｖ）にクランプするためのスイッチング素子とを有し、タイミング発生回路４５から出力されるタイミング信号にもとづき維持パルス電圧Ｖｓを発生させる。
【００７６】
図８は、本発明の一実施の形態におけるデータ電極駆動回路４２の回路図である。データ電極駆動回路４２は、スイッチング素子Ｑ１Ｄ１〜Ｑ１Ｄｍおよびスイッチング素子Ｑ２Ｄ１〜Ｑ２Ｄｍを有している。そして、スイッチング素子Ｑ１Ｄ１〜Ｑ１Ｄｍを介して各データ電極Ｄ１〜Ｄｍをそれぞれ独立して電圧Ｖｄにクランプする。また、スイッチング素子Ｑ２Ｄ１〜Ｑ２Ｄｍを介して各データ電極Ｄ１〜Ｄｍをそれぞれ独立して接地し、０（Ｖ）にクランプする。このようにしてデータ電極駆動回路４２はデータ電極Ｄ１〜Ｄｍをそれぞれ独立に駆動し、タイミング発生回路４５から出力されるタイミング信号にもとづきデータ電極Ｄ１〜Ｄｍに正の書込みパルス電圧Ｖｄを印加する。なお、図８には、スイッチング素子Ｑ１Ｄ１〜Ｑ１Ｄｍおよびスイッチング素子Ｑ２Ｄ１〜Ｑ２Ｄｍのそれぞれに共通した入力端子を端子ＩＮ１〜ＩＮｍとして示している。
【００７７】
次に、初期化波形発生回路５３の動作と正の電圧Ｖｄの印加を制御する方法について、図面を用いて説明する。なお、パネルの温度に応じた正の電圧Ｖｄの印加の制御は全セル初期化動作時に行うため、ここでは全セル初期化動作時の駆動電圧波形について説明する。
【００７８】
図９は、本発明の一実施の形態における全セル初期化期間の走査電極駆動回路４３およびデータ電極駆動回路４２の動作を説明するためのタイミングチャートである。なお、図面では、全セル初期化動作を行う駆動電圧波形を期間Ｔ１〜期間Ｔ５で示した５つの期間に分割し、それぞれの期間について説明する。また、電圧Ｖｉ１、電圧Ｖｉ３は電圧Ｖｓに等しいものとし、電圧Ｖｉ２は電圧Ｖｒに等しいものとし、電圧Ｖｉ４は負の電圧Ｖａに等しいものとして説明する。また、以下の説明においてスイッチング素子を導通させる動作をオン、遮断させる動作をオフと表記し、図面にはスイッチング素子をオンさせる信号を「Ｈｉ」、オフさせる信号を「Ｌｏ」と表記する。また、走査パルス発生回路５４からは、初期化波形発生回路５３の電圧波形がそのまま出力される。
【００７９】
（期間Ｔ１）
まず、維持パルス発生回路５０のスイッチング素子Ｑ１をオンにする。すると、電極間容量ＣｐとインダクタＬ１とが共振し、電力回収用のコンデンサＣ１からスイッチング素子Ｑ１、ダイオードＤ１、インダクタＬ１を通して走査電極ＳＣ１〜ＳＣｎの電圧が上がり始める。
【００８０】
また、入力端子ＩＮ１〜ＩＮｍを「Ｈｉ」にして、スイッチング素子Ｑ１Ｄ１〜Ｑ１Ｄｍをオフに維持するとともにスイッチング素子Ｑ２Ｄ１〜Ｑ２Ｄｍをオンに維持して、データ電極Ｄ１〜Ｄｍに０（Ｖ）を印加する。
【００８１】
（期間Ｔ２）
次に、維持パルス発生回路５０のスイッチング素子Ｑ３をオンにする。するとスイッチング素子Ｑ３を介して走査電極ＳＣ１〜ＳＣｎに電圧Ｖｓが印加され、走査電極ＳＣ１〜ＳＣｎの電位は電圧Ｖｓ（本実施の形態では、電圧Ｖｉ１と等しい）となる。
【００８２】
（期間Ｔ３）
次に、上りランプ波形電圧を発生するミラー積分回路の入力端子ＩＮａを「Ｈｉ」にする。具体的には入力端子ＩＮａに、例えば電圧１５（Ｖ）を印加する。すると、抵抗Ｒ１０からコンデンサＣ１０に向かって一定の電流が流れ、スイッチング素子Ｑ１１のソース電圧がランプ状に上昇し、走査電極駆動回路４３の出力電圧もランプ状に上昇し始める。そしてこの電圧上昇は、入力端子ＩＮａが「Ｈｉ」の間継続する。すなわち、入力端子ＩＮａを「Ｈｉ」にする期間を制御することで、上りランプ波形電圧の最高電圧である電圧Ｖｉ２を所望の電圧値にすることができ、Ｖｓｅｔを所望の値に設定することができる。
【００８３】
この出力電圧が電圧Ｖｒ（本実施の形態では、電圧Ｖｉ２と等しい）まで上昇したら、その後、入力端子ＩＮａを「Ｌｏ」にする。具体的には入力端子ＩＮａに、例えば電圧０（Ｖ）を印加する。
【００８４】
このようにして、放電開始電圧以下となる電圧Ｖｓ（本実施の形態では、電圧Ｖｉ１と等しい）から、放電開始電圧を超える電圧Ｖｒ（本実施の形態では、電圧Ｖｉ２と等しい）に向かって緩やかに上昇する上りランプ波形電圧を走査電極ＳＣ１〜ＳＣｎに印加する。
【００８５】
なお、本実施の形態では、Ｖｓｅｔが２００（Ｖ）となるように電圧Ｖｉ２を設定しているが、これは単なる一例に過ぎず、パネルの特性やプラズマディスプレイ装置の仕様等に合わせて最適な値にすることが望ましい。
【００８６】
（期間Ｔ４）
入力端子ＩＮａを「Ｌｏ」にすると走査電極ＳＣ１〜ＳＣｎの電圧が電圧Ｖｓ（本実施の形態では、電圧Ｖｉ３と等しい）まで低下する。そしてその後、スイッチング素子Ｑ３をオフにする。
【００８７】
このとき、パネル温度判定回路４６においてパネル１０の温度を低温ではないと判定したときには、期間Ｔ２〜Ｔ４の間、入力端子ＩＮ１〜ＩＮｍを「Ｈｉ」にして、スイッチング素子Ｑ１Ｄ１〜Ｑ１Ｄｍをオフに維持するとともにスイッチング素子Ｑ２Ｄ１〜Ｑ２Ｄｍをオンに維持し、データ電極Ｄ１〜Ｄｍに０（Ｖ）を印加する。
【００８８】
また、パネル温度判定回路４６においてパネル１０の温度を低温と判定したときには、期間Ｔ２〜Ｔ４の間、入力端子ＩＮ１〜ＩＮｍを「Ｌｏ」にして、スイッチング素子Ｑ１Ｄ１〜Ｑ１Ｄｍをオンに維持するとともにスイッチング素子Ｑ２Ｄ１〜Ｑ２Ｄｍをオフに維持し、データ電極Ｄ１〜Ｄｍに正の電圧Ｖｄを印加する。こうして、走査電極ＳＣ１〜ＳＣｎに上りランプ波形電圧を印加する期間、データ電極Ｄ１〜Ｄｍに正の電圧Ｖｄを印加する。
【００８９】
また、データ電極Ｄ１〜Ｄｍに電圧Ｖｄを印加する期間は、走査電極ＳＣ１〜ＳＣｎに上りランプ波形電圧を印加する期間だけでなく、ランプ波形電圧を印加する前から、例えば走査電極ＳＣ１〜ＳＣｎに電圧Ｖｓが印加される期間Ｔ２の時からであってもよい。
【００９０】
また、データ電極Ｄ１〜Ｄｍに印加する電圧はＶｄである必要はなく、他の電源回路を備えることでパネル温度判定回路の信号に応じて電圧値を変えてもよい。
【００９１】
（期間Ｔ５）
次に、下りランプ波形電圧を発生するミラー積分回路の入力端子ＩＮｂを「Ｈｉ」にする。具体的には入力端子ＩＮｂに、例えば電圧１５（Ｖ）を印加する。すると、抵抗Ｒ１１からコンデンサＣ１２に向かって一定の電流が流れ、スイッチング素子Ｑ１４のドレイン電圧がランプ状に下降し、走査電極駆動回路４３の出力電圧もランプ状に下降し始める。そして、出力電圧が所定の負の電圧Ｖｉ４に至った後、入力端子ＩＮｂを「Ｌｏ」とする。具体的には入力端子ＩＮｂに、例えば電圧０（Ｖ）を印加する。
【００９２】
また、入力端子ＩＮ１〜ＩＮｍを「Ｈｉ」にして、スイッチング素子Ｑ１Ｄ１〜Ｑ１Ｄｍをオフに維持するとともにスイッチング素子Ｑ２Ｄ１〜Ｑ２Ｄｍをオンに維持して、データ電極Ｄ１〜Ｄｍに０（Ｖ）を印加する。
【００９３】
以上のようにして、走査電極駆動回路４３は、走査電極ＳＣ１〜ＳＣｎに対して、放電開始電圧以下となる電圧Ｖｉ１から放電開始電圧を超える初期化電圧Ｖｉ２に向かって緩やかに上昇する上りランプ波形電圧を印加し、その後、電圧Ｖｉ３から電圧Ｖｉ４に向かって緩やかに下降する下りランプ波形電圧を印加することができる。また、データ電極駆動回路４２は、パネル温度判定回路４６においてパネル１０の温度を低温と判定したときに、走査電極ＳＣ１〜ＳＣｎに上りランプ波形電圧が印加される期間、データ電極Ｄ１〜Ｄｍに正の電圧Ｖｄを印加することができる。
【００９４】
なお、書込み期間では、画像信号に応じたタイミングで入力端子ＩＮ１〜ＩＮｍを「Ｌｏ」にすることで、スイッチング素子Ｑ１Ｄ１〜Ｑ１Ｄｍをオンにし、スイッチング素子Ｑ２Ｄ１〜Ｑ２Ｄｍをオフにして、書込みパルス電圧Ｖｄを発生させている。
【００９５】
以上説明したように、本実施の形態では、パネル温度判定回路４６においてパネル１０の温度を低温と判定したときには、全セル初期化動作を行う初期化期間において、上りランプ波形電圧を走査電極ＳＣ１〜ＳＣｎに印加する期間、データ電極Ｄ１〜Ｄｍに正の電圧Ｖｄを印加する構成とする。これにより、Ｖｓｅｔを下げても初期化輝点が発生しにくい駆動を実現し、低温時に発生しやすい初期化輝点を低減するとともに、全セル初期化動作時における発光を抑えて黒輝度を低減して高コントラスト化を図ることが可能となる。
【００９６】
なお、本実施の形態では、パネル温度判定回路４６においてパネル１０の温度が４０℃未満のときに低温と判定させ、パネル１０の温度が４２℃以上になったときに低温ではないと判定させて、Ｖｓｅｔを２００（Ｖ）に設定する構成を説明したが、これは単に一例を挙げたに過ぎず、何らこの構成に限定されるものではない。例えば、パネル温度判定回路４６においてパネル１０の温度が５℃未満のときに低温と判定させ、パネル１０の温度が７℃以上になったときに低温ではないと判定させるような構成とすることもできる。この構成では、Ｖｓｅｔの低減効果は２３０（Ｖ）までとなり、上述の場合よりもＶｓｅｔの低減効果は少ないが、パネル１０を低温と判定する温度範囲が狭くなるので、その分、正の電圧Ｖｄを印加することにより発生する消費電力を抑えることが可能となる。
【００９７】
なお、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００９８】
本発明は、全セル初期化動作時の最大電圧を上げることなく初期化輝点の発生を低減することが可能となるので、画像表示品質のよいプラズマディスプレイ装置およびパネルの駆動方法として有用である。
【図面の簡単な説明】
【００９９】
【図１】本発明の実施の形態におけるパネルの構造を示す分解斜視図
【図２】同パネルの電極配列図
【図３】同パネルの温度が低温ではないと判定されたときのパネルの各電極に印加する駆動電圧波形図
【図４】同パネルの温度が低温と判定されたときのパネルの各電極に印加する駆動電圧波形図
【図５】本発明の実施の形態における初期化輝点を発生させないために必要なＶｓｅｔとパネルの温度との関係を示した図
【図６】本発明の一実施の形態におけるプラズマディスプレイ装置の回路ブロック図
【図７】本発明の一実施の形態における走査電極駆動回路の回路図
【図８】本発明の一実施の形態におけるデータ電極駆動回路の回路図
【図９】本発明の一実施の形態における全セル初期化期間の走査電極駆動回路およびデータ電極駆動回路の動作を説明するためのタイミングチャート
【符号の説明】
【０１００】
１    プラズマディスプレイ装置
１０    パネル
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３    走査電極駆動回路
４４    維持電極駆動回路
４５    タイミング発生回路
４６    パネル温度判定回路
４７    温度センサ
５０    維持パルス発生回路
５１    電力回収回路
５２    クランプ回路
５３    初期化波形発生回路
５４    走査パルス発生回路
【図１】
2008122735.tif 000003
【図２】
2008122735.tif 000004
【図３】
2008122735.tif 000005
【図４】
2008122735.tif 000006
【図５】
2008122735.tif 000007
【図６】
2008122735.tif 000008
【図７】
2008122735.tif 000009
【図８】
2008122735.tif 000010
【図９】
2008122735.tif 000011